(57)【特許請求の範囲】
【請求項１】
加熱した温水を貯湯しておき、貯湯しておいた温水を利用して給湯することが可能な給湯システムであって、
温水を貯える貯湯タンクと、
貯湯タンクの上部から給湯栓へ温水を供給する給湯経路と、
給湯経路から分岐して風呂の浴槽へ温水を供給する第２給湯経路と、
第２給湯経路上に設けられており、第２給湯経路を開閉する湯張り弁と、
冷水供給源から貯湯タンクの下部へ冷水を供給する給水経路と、
第２給湯経路との分岐部よりも上流の給湯経路と給水経路を接続しており、冷水供給源から供給される冷水を貯湯タンクから供給される温水に混合する混合経路と、
混合経路上に設けられており、冷水供給源から供給される冷水の流量と貯湯タンクから供給される温水の流量との混合比を調整する混合弁と、
混合経路との接続部よりも上流の給水経路上に設けられており、冷水供給源から供給される水の温度を検出する給水温度センサと、
混合経路との接続部よりも上流の給湯経路上に設けられており、貯湯タンクから供給される湯の温度を検出する給湯温度センサと、
混合経路との接続部よりも下流であって第２給湯経路との分岐部よりも上流の給湯経路上に設けられており、当該給湯経路を流れる水の温度を検出する出湯温度センサと、
第２給湯経路上に設けられており、当該第２給湯経路を流れる水の温度を検出する風呂温度センサと、
給水温度センサと給湯温度センサと出湯温度センサと風呂温度センサの検出信号がそれぞれ入力されるとともに、湯張り弁と混合弁とを制御するコントローラとを備え、
コントローラは、第１故障診断動作と第２故障診断動作とをそれぞれ実行可能であり、
第１故障診断動作は、
湯張り弁を開弁するとともに混合弁の開度を水側全開にして、給水温度センサと出湯温度センサと風呂温度センサでそれぞれ検出される温度を比較するステップと、
１つの温度センサと他のいずれの温度センサとの間でも所定温度以上の温度差が検出されたときに、その温度差が検出された温度センサを故障と判断するステップと、
前記故障と判断した温度センサと他の全ての温度センサとの間の温度差が特定温度未満であるときに、前記故障と判断した温度センサで検出された温度と、他の温度センサで検出された温度の平均値とに基づいて、前記故障と判断した温度センサで検出される温度の補正値を算出するステップと、
前記故障と判断した温度センサと他のいずれかの温度センサとの間の温度差が特定温度以上であるときに、給湯を停止するステップとを含み、
第２故障診断動作は、
湯張り弁を開弁するとともに混合弁の開度を湯側全開にして、給湯温度センサと出湯温度センサと風呂温度センサで検出される温度を比較するステップと、
１つの温度センサと他のいずれの温度センサとの間でも所定温度以上の温度差が検出されたときに、その温度差が検出された温度センサを故障と判断するステップと、
前記故障と判断した温度センサと他の全ての温度センサとの間の温度差が特定温度未満であるときに、前記故障と判断した温度センサで検出された温度と、他の温度センサで検出された温度の平均値とに基づいて、前記故障と判断した温度センサで検出される温度の補正値を算出するステップと、
前記故障と判断した温度センサと他のいずれかの温度センサとの間の温度差が特定温度以上であるときに、給湯を停止するステップとを含む、
給湯システム。
【請求項２】
前記コントローラは、給湯システムの運転時間の積算量に基づいて、風呂の自動湯張り動作時に、第１故障診断動作と第２故障診断動作とを定期的に実行する、請求項１の給湯システム。
【発明の詳細な説明】
【技術分野】
【０００１】
本発明は、加熱した温水を貯湯しておき、貯湯しておいた温水を利用して給湯することが可能な給湯システムに関する。特に、貯湯しておいた温水と冷水を混合し、温水利用箇所（給湯栓や風呂の浴槽等）へ供給する給湯システムに関する。
【背景技術】
【０００２】
加熱した温水を貯湯しておいて、その温水を混合弁で冷水と混合し、給湯する給湯システムが知られている。このような給湯システムでは一般的に、温度センサで検出される温度に基づいて混合弁を制御し、使用者が求める温度の温水を温水利用箇所へ供給する。温度センサの故障は高温出湯の可能性につながるため、温度センサが故障した場合には早急にその故障を検出することが求められる。例えば、断線や短絡などのように、極端な出力変動を生じる故障の場合には故障を検出しやすいものの、中間故障（本明細書では、センサ性能が徐々に低下し、センサの検出誤差が徐々に増大していく場合のように、極端な出力変動が生じない故障のことをいう）の場合には、センサ性能の低下を検出するのが難しいため、温度センサの故障を検出することが難しい。
【０００３】
特許文献１には、給湯システムにおいて、温水と冷水を混合した後の水温を検出する混合水温センサの中間故障を検出する技術が記載されている。この技術では、混合水温センサの下流近傍に異常監視センサを設ける。異常監視センサでは、閾値温度よりも高い温度を検出したときに、異常検知信号を出力する。閾値温度は、温水利用箇所へ供給される温水の設定温度より高く設定されている。温水と冷水の混合比は混合水温センサで検出される温度が設定温度となるように調整されるので、混合水温センサに何ら故障がなければ、異常監視センサで検出される温度が閾値温度に達することがなく、異常検知信号は出力されない。混合水温センサのセンサ性能が徐々に低下して、混合水温センサの温度検出誤差が増大すると、温水と冷水を混合した後の実際の水温が設定温度を超えてしまう場合がある。この場合、異常監視センサで検出される温度が閾値温度に達して、異常検知信号が出力される。この技術によれば、混合水温センサの中間故障を検出することができる。
【０００４】
【特許文献１】特開２００３−０７４９７１号公報
【発明の開示】
【発明が解決しようとする課題】
【０００５】
特許文献１の技術によると、異常監視センサのセンサ機能が正常であることを前提としたうえで混合水温センサの故障を判断する。しかしながら、実際には混合水温センサが故障することもあれば、異常監視センサが故障することもある。特許文献１の技術では、異常検出信号が出力された場合に、混合水温センサと異常監視センサのうち、どちらのセンサが故障したのかを判断することができない。故障しているセンサを特定することができない。
【０００６】
本発明は上記の課題を解決するために提案された。すなわち、本発明は、温度センサの中間故障を検出できるとともに、故障している温度センサを特定することができる給湯システムを提供することを目的とする。
【課題を解決するための手段】
【０００７】
本発明は、加熱した温水を貯湯しておき、貯湯しておいた温水を利用して給湯することが可能な給湯システムに関する。
本発明の給湯システムは、温水を貯える貯湯タンクと、貯湯タンクの上部から給湯栓へ温水を供給する給湯経路と、給湯経路から分岐して風呂の浴槽へ温水を供給する第２給湯経路と、第２給湯経路上に設けられており、第２給湯経路を開閉する湯張り弁と、冷水供給源から貯湯タンクの下部へ冷水を供給する給水経路を備えている。冷水供給源とは、例えば、水道管などである。
本発明の給湯システムは、第２給湯経路との分岐部よりも上流の給湯経路と給水経路を接続しており、冷水供給源から供給される冷水を貯湯タンクから供給される温水に混合する混合経路を備えている。
【０００８】
本発明の給湯システムは、混合経路上に設けられており、冷水供給源から供給される冷水の流量と貯湯タンクから供給される温水の流量との混合比を調整する混合弁を備えている。混合弁は混合経路上のどの位置に設けられていてもよい。
【０００９】
本発明の給湯システムは、混合経路との接続部よりも上流の給水経路上に設けられており、冷水供給源から供給される水の温度を検出する給水温度センサと、混合経路との接続部よりも上流の給湯経路上に設けられており、貯湯タンクから供給される湯の温度を検出する給湯温度センサとを備えている。
本発明の給湯システムは、混合経路との接続部よりも下流であって第２給湯経路との分岐部よりも上流の給湯経路上に設けられており、当該給湯経路を流れる水の温度を検出する出湯温度センサと、第２給湯経路上に設けられており、当該第２給湯経路を流れる水の温度を検出する風呂温度センサとを備えている。このような構成によると、湯張り弁を開弁するとともに混合弁の開度を水側全開にして、冷水供給源から水を流したときに、給水温度センサと出湯温度センサと風呂温度センサの３つの温度センサが設けられている経路を流れる水の温度は全て等しい。また、湯張り弁を開弁するとともに混合弁の開度を湯側全開にして、貯湯タンクから湯を流したときに、給湯温度センサと出湯温度センサと風呂温度センサの３つの温度センサが設けられている経路を流れる湯の温度は全て等しい。
本発明の給湯システムは、給水温度センサと給湯温度センサと出湯温度センサと風呂温度センサの検出信号がそれぞれ入力されるとともに、湯張り弁と混合弁とを制御するコントローラを備える。コントローラは、下記する第１故障診断動作と第２故障診断動作とをそれぞれ実行することができる。
【００１０】
第１故障診断動作は、湯張り弁を開弁するとともに混合弁の開度を水側全開にして、給水温度センサと出湯温度センサと風呂温度センサでそれぞれ検出される温度を比較するステップと、１つの温度センサと他のいずれの温度センサとの間でも所定温度以上の温度差が検出されたときに、その温度差が検出された温度センサを故障と判断するステップとを含む。本明細書でいう所定温度とは、２℃より大きい温度のことをいう。例えば、給水温度センサを含めて３個の温度センサが設けられており、所定温度が５℃である場合、給水温度センサで検出される温度が他のいずれの温度センサで検出される温度よりも５℃以上の温度差があれば、給水温度センサを故障と判断する。
【００１１】
第１故障診断動作では、同一経路を流れる水の温度を検出する少なくとも３つ以上の温度センサを用いて温度センサの中間故障を判断する。各々の温度センサで検出される温度を比較して温度センサの故障を判断するので、温度センサのセンサ機能が徐々に低下していく場合でも、故障を検出することができる。また、１つの温度センサで検出される温度が、他のいずれの温度センサで検出される温度よりも所定温度以上の温度差があれば、その１つの温度センサを故障と判断することができる。温度センサの中間故障を検出できるとともに、故障している温度センサを特定することができる。
【００１４】
第２故障診断動作は、湯張り弁を開弁するとともに混合弁の開度を湯側全開にして、給湯温度センサと出湯温度センサと風呂温度センサでそれぞれ検出される温度を比較するステップと、１つの温度センサと他のいずれの温度センサとの間でも所定温度以上の温度差が検出されたときに、その温度差が検出された温度センサを故障と判断するステップとを含む。
【００１５】
第２故障診断動作では、同一経路を流れる湯の温度を検出する少なくとも３つ以上の温度センサを用いて温度センサの中間故障を判断する。各々の温度センサで検出される温度を比較して温度センサの故障を判断するので、温度センサのセンサ機能が徐々に低下していく場合でも、故障を検出することができる。また、１つの温度センサで検出される温度が、他のいずれの温度センサで検出される温度よりも所定温度以上の温度差があれば、その１つの温度センサを故障と判断することができる。温度センサの中間故障を検出できるとともに、故障している温度センサを特定することができる。
【００１６】
本発明の給湯システムでは、コントローラが、給湯システムの運転時間の積算量に基づいて、風呂の自動湯張り時に、第１故障診断動作と第２故障診断動作とを定期的に実行することが好ましい。上記した中間故障の判断は、給湯の設定温度に関わりなく混合弁を水側全開又は湯側全開として給湯する必要があり、一時的に設定温度と異なる温度で給湯することとなる。しかしながら、風呂の湯張りの際であれば、一時的に設定温度と異なる温度の湯が風呂に流入しても、最終的に設定温度の湯が風呂に湯張りされていれば、利用者は不便と感じることはない。この給湯システムによれば、中間故障の判断を短時間で行い、それ以降は通常の湯張り運転を行うことで、利用者に不便を感じさせることもなく、温度センサの中間故障を判断できるとともに、故障している温度センサを特定することができる。
【００１７】
第１故障診断動作及び第２故障診断動作は、故障と判断した温度センサと他の全ての温度センサとの間の温度差が特定温度未満であるときに、故障と判断した温度センサで検出された温度と、他の温度センサで検出された温度の平均値とに基づいて、故障と判断した温度センサで検出される温度の補正値を算出するステップをさらに含む。
【００１８】
上記の給湯システムによると、故障と判断した温度センサで検出された温度と、他の温度センサで検出された温度の平均値との間の温度差を補正値として算出する。故障と判断した温度センサで検出された温度を、他の温度センサで検出された温度の平均値と等しくする補正を行うことによって、故障と判断した温度センサでも正確な温度を検出することができる。温度センサが中間故障を生じている場合でも、その温度センサを交換することなく、給湯を継続することができる。
【００１９】
第１故障診断動作及び第２故障診断動作は、故障と判断した温度センサと他のいずれかの温度センサとの間の温度差が特定温度以上であるときに、給湯を停止するステップをさらに含む。本明細書でいう特定温度とは、例えば、１０℃以上である。故障と判断した温度センサと他の温度センサとの間の温度差が大きい場合、断線や短絡など出力変動の大きな故障である可能性が高い。この場合、故障と判断した温度センサの検出温度を補正して給湯を継続するよりも、故障と判断した温度センサを新しい温度センサに交換することが好ましいので、温度センサの異常を報知して給湯を停止する。給湯システムの安全性を確保することができる。
【発明の効果】
【００２０】
本発明の給湯システムによると、温度センサの中間故障を検出することができるとともに、故障した温度センサを特定できる給湯システムを提供することができる。
【発明を実施するための最良の形態】
【００２１】
下記に説明する実施例の好ましい特徴を列記する。
（第１特徴）  給湯システムの試運転時に混合器の開度を水側全開にして、温度既知の水を流したときに各々の温度センサで検出される温度の温度差を記憶する。それ以降は、各々の温度センサで検出される温度を、記憶した温度差に基づいて修正した値で出力する。
【実施例】
【００２２】
（第１実施例）
図１に、本発明の第１実施例である給湯システム１００の模式図を示す。給湯システム１００は、温水利用箇所６６である風呂の浴槽６６ａと給湯栓６６ｂ等に接続されている。給湯システム１００は、発電ユニット２４、貯湯タンク１８、混合ユニット４４、リモコン７０およびコントローラ６８等を備えている。
【００２３】
発電ユニット２４は、固体高分子型の燃料電池を用いた発電装置である。発電ユニット２４は電力需要に応じて発電を行う。発電を行う際に、発電ユニット２４は排熱回収ポンプ２０を駆動する。排熱回収ポンプ２０が駆動されると、貯湯タンク１８の下部から水が吸い出される。吸い出された水は、排熱回収熱交換器２２で発電熱によって加熱されて、貯湯タンク１８の上部に戻される。発電ユニット２４から貯湯タンク１８の上部に戻される湯の温度は、排熱回収サーミスタ２６によって測定されて、コントローラ６８へ出力される。上部に戻される湯の温度が低い場合には、三方排熱切替弁２８を切替えることによって、貯湯タンク１８をバイパスして発電ユニット２４に戻されて再び加熱される。
【００２４】
貯湯タンク１８は、発電ユニット２４の発電熱によって加熱された湯を貯える。貯湯タンク１８に貯えられた湯は、給湯や風呂の追い焚き等に利用される。貯湯タンク１８の内部には温度成層が形成されており、貯湯タンク１８の上部には下部に比べて高温の湯が貯えられている。従って、貯湯タンク１８の蓄熱量が少ないときでも、貯湯タンク１８の上部から出湯することによって、高温の湯を利用することができる。貯湯タンク１８の上部には、湯温を検出するタンク上部サーミスタ３２が設けられており、検出された温度はコントローラ６８へ出力される。
【００２５】
貯湯タンク１８の下部は、タンク給水経路１６、混合ユニット４４および給水経路４を経由して、水道管（冷水供給源）２に接続されている。給水経路４には減圧弁６が設けられており、水道管２からの給水圧力が調整されている。貯湯タンク１８の上部は、タンク給湯経路３４、混合ユニット４４、第１給湯経路４８を経由して、給湯栓６６ｂに接続されている。タンク給湯経路３４は混合経路４０との接続部４２よりも上流に設けられており、第１給湯経路４８は混合経路４０との接続部４２よりも下流に設けられている。給湯栓６６ｂが開かれると、給水圧力によって貯湯タンク１８の内部の湯水が下部から上部に向けて押し上げられ、貯湯タンク１８の上部からタンク給湯経路３４へ出湯する。貯湯タンク１８から出湯した湯は、混合ユニット４４で水道水と混合されて、所望の温度に調温された後に給湯栓６６ｂへ供給される。
【００２６】
混合ユニット４４は、貯湯タンク１８の上部から出湯される高温の湯に水道水を混合して、所望の温度に調温する。混合ユニット４４は、給水経路４からタンク給水経路１６へ流れる水道水の一部を混合経路４０に分岐させて、タンク給湯経路３４から第１給湯経路４８へ流れる湯に混合する。給水経路４、タンク給水経路１６および混合経路４０の接続部分には混合器（混合弁）１４が設けられている。混合器１４はステッピングモータを内蔵しており、これが駆動されることによって、タンク給水経路１６の開度と混合経路４０の開度が調整されて、タンク給水経路１６へ流れる水道水の流量と混合経路４０へ流れる水道水の流量の比率が調整される。混合ユニット４４から貯湯タンク１８の下部へ給水される水道水の流量と、貯湯タンク１８の上部から混合ユニット４４へ出湯される湯の流量は等しい。従って、混合器１４によってタンク給水経路１６へ分岐する水道水の流量と混合経路４０へ分岐する水道水の流量の比率を調節することによって、混合経路４０からの水道水とタンク給湯経路３４からの湯の混合比率を調節することができる。
【００２７】
タンク給湯経路（給湯経路）３４には、タンク電磁弁３６と給湯サーミスタ（給湯温度センサ）３８が設けられている。タンク電磁弁３６はコントローラ６８によって制御されており、内蔵しているソレノイドが駆動されることによって開閉する。タンク電磁弁３６が閉じられている状態では、給湯栓６６ｂを開いても貯湯タンク１８からは出湯せず、給湯栓６６ｂには給水経路４および混合経路４０を経由して水道水が供給される。給湯サーミスタ３８はタンク給湯経路３４を流れる湯の温度を検出して、コントローラ６８へ出力する。
【００２８】
第１給湯経路（給湯経路）４８には、出湯サーミスタ４６が設けられている。出湯サーミスタ４６は第１給湯経路４８を流れる温水の温度を検出して、コントローラ６８へ出力する。
【００２９】
給水経路４には、給水サーミスタ（給水温度センサ）８と給湯水量センサ１０と給湯水量サーボ１２が設けられている。給水サーミスタ８は給水経路４を流れる水道水の温度を検出して、コントローラ６８へ出力する。給湯水量センサ１０は給水経路４を流れる水道水の流量を検出して、コントローラ６８へ出力する。給水経路４から混合ユニット４４へ流れる水道水の流量と、混合ユニット４４から第１給湯経路４８へ流れる湯の流量は等しいから、給湯水量センサ１０で検出される流量は、混合ユニット４４から給湯される湯の流量に等しい。給湯水量サーボ１２は給水経路４を流れる水道水の流量を制御する。給水経路４から混合ユニット４４へ流れる水道水の流量と、混合ユニット４４から第１給湯経路４８へ流れる湯の流量は等しいから、給水経路４を流れる水道水の流量を制御することによって、混合ユニット４４から第１給湯経路４８へ流れる温水の流量を制御することができる。
【００３０】
貯湯タンク１８の上部と下部には、三方タンク切替弁３０を介して熱源機（図示はしない）に向かう経路２９ａが設けられている。熱源機では必要に応じて貯湯タンク１８の湯水を加熱する。加熱された温水は経路２９ｂから貯湯タンク１８の上部に戻される。熱源機によって加熱された温水は、貯湯タンク１８へ直接戻されることもあるし、例えば暖房端末機の熱源として利用される熱媒との間で熱交換が行われ、床暖房や風呂の追い焚き等に利用された後に貯湯タンク１８へ戻されることもある。貯湯タンク１８の上部には熱源機によって加熱された温水が供給されることもあれば、発電ユニット２４によって加熱された温水が供給されることもある。
【００３１】
風呂の浴槽６６ａには第２給湯経路（給湯経路）６２が接続されている。第２給湯経路６２には風呂ポンプ５４と、風呂水流スイッチ５６と、風呂サーミスタ５８が設けられている。コントローラ６８によって風呂ポンプ５４が駆動されると、風呂の浴槽６６ａから第２給湯経路６２に湯が吸い出される。風呂の浴槽６６ａから吸い出された湯は、風呂熱交換器６０で加熱されて、浴槽６６ａに戻される。風呂熱交換器６０で加熱された温水の温度は、風呂往きサーミスタ６４で検出される。
【００３２】
第２給湯経路６２は、湯張り弁５０と湯張り水量センサ５２を介して第１給湯経路４８に連通している。湯張り弁５０を開くことで、浴槽６６ａへの湯張りが行われる。湯張り弁５０はコントローラ６８によって制御される。湯張り水量センサ５２は、第１給湯経路４８から第２給湯経路６２に向かう温水の水量を検出する。第１給湯経路４８から第２給湯経路６２に向かう温水の温度は、風呂サーミスタ５８で検出する。
【００３３】
リモコン７０は、表示板と操作スイッチを備えている。利用者はリモコン７０を操作して、給湯システム１００の運転のＯＮ／ＯＦＦや、各種の運転モードの開始／終了や、給湯設定温度、風呂設定温度等を入力することができる。リモコン７０はコントローラ６８と通信可能であって、利用者の操作内容をコントローラ６８へ送信する。
【００３４】
コントローラ６８は、制御プログラムを記憶している。コントローラ６８には、リモコン７０の操作信号と、給湯水量サーボ１２の検出信号と各種サーミスタの検出信号等が入力される。コントローラ６８は、入力された信号を制御プログラムで処理し、各種ポンプ、各種弁、混合器１４等を制御する。コントローラ６８はタイマカウンタを内蔵している。
【００３５】
図２に、給湯システム１００において試運転時に行う動作を説明するフローチャートを示す。なお、フローチャート中、ＴＨの表記はサーミスタを示す。
【００３６】
ステップＳ１０２では、風呂の浴槽６６ａの自動湯張り動作が開始されているか否かを確認する。開始されている場合（ステップＳ１０２でＹＥＳの場合）、ステップＳ１０４へ進む。開始されていない場合（ステップＳ１０２でＮＯの場合）、風呂の浴槽６６ａの湯張り動作が開始されるまで待機する。
【００３７】
ステップＳ１０４では、湯張り弁５０を開く。第１給湯経路４８と第２給湯経路６２が連通する。また、混合器１４の開度を水側全開にする。水道管２から風呂の浴槽６６ａに向かって水が流れる。さらに、給湯水量サーボ１２を制御して、給湯水量センサ１０で検出される流量（給水経路４を流れる水の流量）が５リットル／ｍｉｎとなるように調整する。
【００３８】
ステップＳ１０６では、給水サーミスタ８と、出湯サーミスタ４６と、風呂サーミスタ５８の各々において検出される温度を比較する。混合器１４が水側全開であるため、各々のサーミスタが設けられている経路（水道管２から風呂の浴槽６６ａに向かう経路）上を流れる水の温度は等しい。
【００３９】
ステップＳ１０８では、ステップＳ１０６で比較した温度の間に温度差（温度ばらつき）が有るか否かを判断する。例えば、給水サーミスタ８の検出温度が１９℃、出湯サーミスタ４６の検出温度が２０℃、風呂サーミスタ５８の検出温度が２０℃の場合、給水サーミスタ８の検出温度と出湯サーミスタ４６、風呂サーミスタ５８の検出温度の間に１℃の温度差があるため、温度差有りと判断する。温度差が有る場合（ステップＳ１０８でＹＥＳの場合）、ステップＳ１１０へ進む。温度差がない場合（ステップＳ１０８でＮＯの場合）、ステップＳ１１２へ進む。
【００４０】
ステップＳ１１０では、検出された温度差を各々のサーミスタ毎に記憶する。このとき、安全を考えた場合、一番高い温度をベースとして温度差を記憶することが好ましい。高温側の検出温度に合わせて補正する方が、誤って高温の湯を出湯する可能性が低くなるためである。温度差を記憶すると、ステップＳ１１２へ進み、試運転時の自動湯張り動作を終了する。これ以降は、記憶した温度差に基づいて各々のサーミスタで検出される温度を修正する。各々のサーミスタの試運転時における温度ばらつきを修正して、その修正値を給湯システム１００の通常運転時における検出温度に反映することができる。例えば、給水サーミスタ８の検出温度が１９℃、出湯サーミスタ４６の検出温度が２０℃、風呂サーミスタ５８の検出温度が２０℃の場合、２０℃（一番高い温度）をベースとし、給水サーミスタの温度差をプラス１℃と記憶する。これ以降は、給水サーミスタ８で検出される温度にプラス１℃の修正を加えた値を、給水サーミスタ８での検出温度として出力する。
【００４１】
ステップＳ１１２では、湯張り弁５０を閉じて試運転時の自動湯張り動作を終了する。
【００４２】
図３に、本実施例において、給湯システム１００における風呂の浴槽６６ａの湯張り時に、中間故障を判断する動作を説明するフローチャートを示す。
【００４３】
ステップＳ１５２では、風呂の浴槽６６ａの自動湯張り動作が開始されているか否かを確認する。開始されている場合（ステップＳ１５２でＹＥＳの場合）、ステップＳ１５４へ進む。開始されていない場合（ステップＳ１５２でＮＯの場合）、風呂６６ａの湯張り動作が開始されるまで待機する。
【００４４】
ステップＳ１５４では、中間故障チェックモードになっているか否かを判断する。中間故障チェックモードは、給湯システム１００の運転時間の積算量に基づいて定期的に開始されるようになっている。中間故障チェックモードになっている場合（ステップＳ１５４でＹＥＳの場合）、ステップＳ１５８へ進む。なっていない場合（ステップＳ１５４でＮＯの場合）、ステップＳ１５６へ進む。
【００４５】
ステップＳ１５６では、各々の温度センサの中間故障をチェックする必要はないと判断し、通常の湯張り動作を行う。
【００４６】
ステップＳ１５８では、湯張り弁５０を開く。第１給湯経路４８と第２給湯経路６２が連通する。また、混合器１４の開度を水側全開にする。水道管２から風呂６６ａに向かって水が流れる。さらに、給湯水量サーボ１２を制御して、給湯水量センサ１０で検出される流量（給水経路４を流れる水の流量）が５リットル／ｍｉｎとなるように調整する。このように少ない流量で中間故障をチェックすることで、その後の湯張りへの影響を最小限に抑えることができる。利用者に不便を感じさせることがない。
【００４７】
ステップＳ１６０では、給水サーミスタ８と、出湯サーミスタ４６と、風呂サーミスタ５８の各々において検出される温度を比較する。混合器１４が水側全開であるため、各々のサーミスタが設けられている経路（水道管２から風呂の浴槽６６ａに向かう経路）上を流れる水の温度は等しい。
【００４８】
ステップＳ１６２では、中間故障が検出されたか否かを判断する。ステップＳ１６０で行った温度比較において、１つのサーミスタで検出される温度が、他のいずれのサーミスタで検出される温度よりも２℃より大きい場合、その温度差が検出されたサーミスタを中間故障と判断する。例えば、給水サーミスタ８の検出温度が２５℃、出湯サーミスタ４６の検出温度が２８℃、風呂サーミスタ５８の検出温度が２５℃の場合、出湯サーミスタ４６の検出温度のみ他のサーミスタの検出温度より３℃高いため、出湯サーミスタ４６を中間故障と判断する。中間故障が検出された場合（ステップＳ１６２でＹＥＳの場合）、ステップＳ１６４へ進む。中間故障が検出されない場合（ステップＳ１６２でＮＯの場合）、ステップＳ１５６へ戻り、通常の湯張り動作を行う。
【００４９】
ステップＳ１６４では、中間故障と判断したサーミスタと他のいずれかのサーミスタとの温度差が１０℃以上であるか否かを判断する。１０℃以上の温度差が検出された場合（ステップＳ１６４でＹＥＳの場合）、ステップＳ１６６へ進む。検出されない場合（ステップＳ１６４でＮＯの場合）、ステップＳ１６８へ進む。
【００５０】
ステップＳ１６６では、サーミスタの異常を報知し、湯張り弁５０を閉じて湯張りを停止する。故障と判断したサーミスタと他のいずれかのサーミスタとの温度差が１０℃以上の場合、故障と判断したサーミスタが断線又は短絡している可能性が高い。湯張りを停止して、故障と判断したサーミスタを新しいサーミスタに交換することが望ましい。
【００５１】
ステップＳ１６８では、故障と判断したサーミスタにおける検出温度と、他のサーミスタにおける検出温度の平均値との間の温度差を補正値として算出する。これ以降は、故障と判断した温度センサの検出温度を補正値に基づいて補正して出力する。例えば、故障と判断したサーミスタにおける検出温度と、他のサーミスタにおける検出温度の平均値との温度差が３℃である場合、これ以降は、故障と判断したサーミスタで検出された温度に３℃の補正を加えて検出温度として出力する。補正値が算出されると、ステップＳ１５６へ戻り、通常の湯張り動作を行う。
【００５２】
本実施例の給湯システム１００では、風呂の浴槽６６ａの湯張り時に混合器１４の開度を水側全開にして、各々のサーミスタの中間故障判断を行う。３つのサーミスタ（給水サーミスタ８、出湯サーミスタ４６、風呂サーミスタ５８）を用いて中間故障を判断するため、いずれか１つのサーミスタが故障しているときに、他の２つのサーミスタで検出される温度との温度差を比較することによって、故障しているサーミスタを特定することができる。サーミスタの中間故障を検出できるとともに、故障しているサーミスタを特定することができる。なお、給湯経路４８の下流に異常監視サーミスタを設け、給湯栓６６ｂでの給湯時に混合器１４の開度を水側全開にして、３つのサーミスタ（給水サーミスタ８、出湯サーミスタ４６、異常監視サーミスタ）を用いて中間故障を判断してもよい。
【００５３】
（第２実施例）
第２実施例の給湯システムは第１実施例の給湯システム１００と同様の構造であるため、説明を省略する。第２実施例の給湯システムの試運転時に行う動作も、図２に示した手順と同様であるため、説明を省略する。図４に、第２実施例の給湯システムにおける風呂の浴槽６６ａの湯張り時に、混合器１４の開度を湯側全開にして中間故障を判断する動作を説明するフローチャートを示す。
【００５４】
ステップＳ２０２では、風呂の浴槽６６ａの自動湯張り動作が開始されているか否かを確認する。開始されている場合（ステップＳ２０２でＹＥＳの場合）、ステップＳ２０４へ進む。開始されていない場合（ステップＳ２０２でＮＯの場合）、風呂６６ａの湯張り動作が開始されるまで待機する。
【００５５】
ステップＳ２０４では、中間故障チェックモードになっているか否かを判断する。中間故障チェックモードは、給湯システム１００の運転時間の積算量に基づいて定期的に開始されるようになっている。中間故障チェックモードになっている場合（ステップＳ２０４でＹＥＳの場合）、ステップＳ２０８へ進む。なっていない場合（ステップＳ２０４でＮＯの場合）、ステップＳ２０６へ進む。
【００５６】
ステップＳ２０６では、各々の温度センサの中間故障をチェックする必要はないと判断し、通常の湯張り動作を行う。
【００５７】
ステップＳ２０８では、湯張り弁５０を開く。第１給湯経路４８と第２給湯経路６２が連通する。また、混合器１４の開度を湯側全開にする。貯湯タンク１８から風呂６６ａに向かって高温の湯が流れる。さらに、給湯水量サーボ１２を制御して、給湯水量センサ１０で検出される流量（給水経路４を流れる水の流量）が５リットル／ｍｉｎとなるように調整する。混合器１４の開度が湯側全開のとき、給水経路４を流れる水の流量とタンク給湯経路３４を流れる湯の流量は等しいため、タンク給湯経路３４を流れる湯の流量も５リットル／ｍｉｎに調整される。このように少ない流量で中間故障をチェックすることで、その後の湯張りへの影響を最小限に抑えることができる。利用者に不便を感じさせることがない。
【００５８】
ステップＳ２１０では、給湯サーミスタ３８と、出湯サーミスタ４６と、風呂サーミスタ５８の各々において検出される温度を比較する。混合器１４が湯側全開であるため、各々のサーミスタが設けられている経路（貯湯タンク１８から風呂の浴槽６６ａに向かう経路）上を流れる湯の温度は等しい。
【００５９】
ステップＳ２１２では、中間故障が検出されたか否かを判断する。ステップＳ２１０で行った温度比較において、１つのサーミスタで検出される温度が、他のいずれのサーミスタで検出される温度よりも２℃より大きい場合、その温度差が検出されたサーミスタを中間故障と判断する。中間故障が検出された場合（ステップＳ２１２でＹＥＳの場合）、ステップＳ２１４へ進む。中間故障が検出されない場合（ステップＳ２１２でＮＯの場合）、ステップＳ２０６へ戻り、通常の湯張り動作を行う。
【００６０】
ステップＳ２１４では、中間故障と判断したサーミスタと他のいずれかのサーミスタとの温度差が１０℃以上であるか否かを判断する。１０℃以上の温度差が検出された場合（ステップＳ２１４でＹＥＳの場合）、ステップＳ２１６へ進む。検出されない場合（ステップＳ２１４でＮＯの場合）、ステップＳ２１８へ進む。
【００６１】
ステップＳ２１６では、サーミスタの異常を報知し、湯張り弁５０を閉じて湯張りを停止する。故障と判断したサーミスタと他のいずれかのサーミスタとの温度差が１０℃以上の場合、故障と判断したサーミスタが断線又は短絡している可能性が高い。湯張りを停止して、故障と判断したサーミスタを新しいサーミスタに交換することが望ましい。
【００６２】
ステップＳ２１８では、故障と判断したサーミスタにおける検出温度と、他のサーミスタにおける検出温度の平均値との間の温度差を補正値として算出する。これ以降は、故障と判断した温度センサの検出温度を補正値に基づいて補正して出力する。補正値が算出されると、ステップＳ２０６へ戻り、通常の湯張り動作を行う。
【００６３】
本実施例の給湯システムでは、風呂の浴槽６６ａの湯張り時に混合器１４の開度を湯側全開にして、各々のサーミスタの中間故障判断を行う。３つのサーミスタ（給湯サーミスタ３８、出湯サーミスタ４６、風呂サーミスタ５８）を用いて中間故障を判断するため、いずれか１つのサーミスタが故障しているときに、他の２つのサーミスタで検出される温度との温度差を比較することによって、故障しているサーミスタを特定することができる。サーミスタの中間故障を検出できるとともに、故障しているサーミスタを特定することができる。なお、給湯経路４８の下流に異常監視サーミスタを設け、給湯栓６６ｂでの給湯時に混合器１４の開度を湯側全開にして、３つのサーミスタ（給湯サーミスタ３８、出湯サーミスタ４６、異常監視サーミスタ）を用いて中間故障を判断してもよい。
【００６４】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
例えば、本発明の実施例の給湯システムでは、第１給湯経路４８及び第２給湯経路６２上に３つのサーミスタが設けられているが、４つ以上のサーミスタが設けられていてもよい。また、本発明の実施例の給湯システムでは、３つのサーミスタを用いて中間故障判断を行ったが、風呂往きサーミスタ６４も含め、計４つのサーミスタを用いて中間故障判断を行ってもよい。
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図面の簡単な説明】
【００６５】
【図１】第１実施例である給湯システム１００の模式図を示す。
【図２】給湯システム１００の試運転時の動作を説明するフローチャートを示す。
【図３】給湯システム１００で混合器を水側全開にして中間故障を判断する動作を説明するフローチャートを示す。
【図４】給湯システム１００で混合器を湯側全開にして中間故障を判断する動作を説明するフローチャートを示す。
【符号の説明】
【００６６】
２：水道管（冷水供給源）
４：給水経路
６：減圧弁
８：給水サーミスタ（給水温度センサ）
１０：給湯水量センサ
１２：給湯水量サーボ
１４：混合器（混合弁）
１６：タンク給水経路
１８：貯湯タンク
２０：排熱回収ポンプ
２２：排熱回収熱交換器
２４：発電ユニット
２６：排熱回収サーミスタ
２８：三方排熱切替弁
２９ａ、２９ｂ：経路
３０：三方タンク切替弁
３２：タンク上部サーミスタ
３４：タンク給湯経路
３６：タンク電磁弁
３８：給湯サーミスタ（給湯温度センサ）
４０：混合経路
４２：タンク給湯経路と混合経路と第１給湯経路との接続部
４４：混合ユニット
４６：出湯サーミスタ
４８：第１給湯経路
５０：湯張り弁
５２：湯張り水量センサ
５４：風呂ポンプ
５６：風呂水流スイッチ
５８：風呂サーミスタ
６０：風呂熱交換器
６２：第２給湯経路
６４：風呂往きサーミスタ
６６：温水利用箇所
６６ａ：風呂の浴槽
６６ｂ：給湯栓
６８：コントローラ
７０：リモコン
【図１】
0005449683.tif 000002
【図２】
0005449683.tif 000003
【図３】
0005449683.tif 000004
【図４】
0005449683.tif 000005